(57)【特許請求の範囲】
【請求項１】
搬送される用紙の先端に当接して用紙の進行を阻止する阻止部材と、阻止部材の上流側と下流側のそれぞれに配置され同一の駆動手段を有するローラ対と、用紙をセットする手差し台と、用紙セット検知手段を有し、１枚ずつ用紙をセットし阻止部材を解除することにより用紙と原稿の先端を一致させて画像転写部に送り込むように構成した手差し給紙装置を備えた画像形成装置において、
置数を入力しコピー動作をスタートさせると、置数終了まで自動で手差し台上の用紙がスタートする制御が行われるとともに、
２枚目以降の用紙セット時、ある所定時間で駆動手段を停止させた後、再給紙する制御が行われることを特徴とする画像形成装置。
【請求項２】
請求項１記載の画像形成装置において、駆動手段を停止させているとき、自動スタートモードであることを操作部に表示する制御が行われることを特徴とする画像形成装置。
【発明の詳細な説明】
【０００１】
【発明の属する技術分野】
本発明は、画像形成装置（複写機、ファクシミリ、プリンタ、印刷機等）に係り、特に用紙を１枚ずつセットする手差し給紙装置の制御に特徴のある画像形成装置に関する。
【０００２】
【従来の技術】
一般に画像形成装置においては、操作部からの操作により選択された用紙を自動的に給紙する複数段の給紙装置を備える他に、主に割り込みコピー用の用紙を給紙するために、給紙部を持たず、搬送ローラを利用して１枚ずつ手差し台にセットされた用紙を送り込む手差し給紙装置が設けられている。
【０００３】
【発明が解決しようとする課題】
上述したように、手差し給紙装置は、元々割り込みコピー用紙などを単発的にコピーするためのものであり、複数枚の用紙セットができないため、置数の設定ができなかった。
【０００４】
従って、同じ原稿を複数枚数コピーする場合、１枚セットしてプリントキーを押すという操作の繰り返しであった。
【０００５】
しかし最近は、機械の低コスト化の影響により、紙種を制限した給紙部を採用するため、特殊紙は手差し給紙装置にて対応する傾向がある。
【０００６】
本発明の課題は、予め置数を設定し、１枚目のスタート時のみプリントキーを押すと、２枚目以降は設定終了枚数まで自動でコピーをスタートさせて、ユーザが２枚目以降のプリントキーを押す必要がなく、操作性とコピー生産性が向上し、また用紙セット検知手段で１枚目の用紙サイズを検知して、光学系も不必要な画像を形成しなくてよくなり、トナー消費量やクリーニング部への負担を低減させることができる手差し給紙装置を備えた画像形成装置を提供することを課題とする。
【０００７】
本発明の課題は、置数設定時の２枚目以降の用紙セットの検知後、ある一定量（用紙がローラにくわえ込まれるまで）用紙を送った後、駆動手段の駆動を停止させることにより、ユーザに用紙を離すタイミングを理解させることができる手差し給紙装置を備えた画像形成装置を提供することを課題とする。
【０００８】
本発明の課題は、操作部上のダイオード（通常、コピー可の場合は青で、コピー中は赤）を利用して、再給紙スタートまで青、赤の点滅を繰り返させて、プリントキーを押す必要がなく、機械のトラブルでもないことをユーザに知らせることができる手差し給紙装置を備えた画像形成装置を提供することを課題とする。
【０００９】
【課題を解決するための手段】
上記課題は、搬送される用紙の先端に当接して用紙の進行を阻止する阻止部材と、阻止部材の上流側と下流側のそれぞれに配置され同一の駆動手段を有するローラ対と、用紙をセットする手差し台と、用紙セット検知手段を有し、１枚ずつ用紙をセットし阻止部材を解除することにより用紙と原稿の先端を一致させて画像転写部に送り込むように構成した手差し給紙装置を備えた画像形成装置において、置数を入力しコピー動作をスタートさせると、置数終了まで自動で手差し台上の用紙がスタートする制御が行われる第１の手段により解決される。
【００１１】
上記課題は、第１の手段において、駆動手段を停止させているとき、自動スタートモードであることを操作部に表示する制御が行われる第２の手段により解決される。
【００１２】
【発明の実施の形態】
以下、本発明の実施の形態を図面に基づいて説明する。
【００１３】
図１は本発明の実施の形態に係る手差し給紙装置の構成図である。
【００１４】
用紙Ｐの進行を阻止する阻止部材１、阻止部材１の下流側のレジストローラ２ａ，２ｂ、阻止部材１の上流側の搬送ローラ３ａ，３ｂ、用紙有無検知センサ（用紙セット検知センサ）４、用紙Ｐをセットする手差し台５、阻止部材１を、支点８を中心に図において、時計回り方向に付勢する引張りコイルばね６、コイルばね６の引張力に抗して阻止部材１を反時計回り方向に付勢するソレノイド７が示されている。
【００１５】
図２は手差し給紙制御のゼネラルフローチャートである。
【００１６】
図示しない操作部からセット枚数を設定し（Ｓ１）、手差し台５に用紙Ｐを１枚ずつセットすると（Ｓ２）、用紙有無検知センサ４で用紙を検知し、図示しない駆動手段が動作し、用紙Ｐは搬送ローラ３ａ，３ｂまでくわえ込まれる。
【００１７】
ここでコピースタートキーを押すと（Ｓ３）、コピー動作が開始される（Ｓ４）。
【００１８】
即ち、用紙Ｐはコイルばね６で保持された阻止部材１まで送り込まれ、その後、原稿の先端と一致するタイミングでソレノイド７を動作させることにより、レジストローラ２ａ，２ｂに用紙Ｐが送り込まれる。その後、電子写真プロセスが実行される。
【００１９】
オートスタート（２枚目以降の用紙の自動スタート）モードの判断を行い、オートスタートモードの場合（Ｓ５でＹ）、コピースタート前処理を実行する（Ｓ６）。
【００２０】
図３はオートスタート判断時のフローチャートである。
【００２１】
用紙Ｐが手差し台５にセットされている場合（Ｓ１１でＹ）、２枚目以降はセット枚数とコピー実施枚数が一致していなければ（Ｓ１２でＹ）、コピースタート前処理動作（後述する図４の処理）を行った後、オートスタートを実施する（Ｓ１３）。これをセット枚数とコピー実施枚数が一致するまで繰り返す（Ｓ１２でＮ、Ｓ１５）。またオートスタート判断時、用紙がセットされていない場合は（Ｓ１１でＮ）、コピーを中断する（Ｓ１４）。
【００２２】
図４はコピースタート前処理のフローチャートである。
【００２３】
用紙有無検知センサ４のオンチェックを行い（Ｓ２１）、手差し台５に用紙Ｐがセットされていることを確認した場合は、搬送ローラ３ａ，３ｂによるくわえ込み動作が行われる（Ｓ２２）。
【００２４】
図５は用紙有無検知センサ４と駆動手段のオンタイミングの第１の例を示すタイミングチャートである。
【００２５】
用紙有無検知センサ４が手差し台５上の用紙を検知してから所定時間遅れて駆動手段がオンする。
【００２６】
図６は用紙有無検知センサ４と駆動手段のオンタイミングの第２の例を示すタイミングチャートである。
【００２７】
この例では、コピースタート前処理において、センサ４が用紙Ｐを検知し、くわえ込み動作を行った後、コピー動作に入るまで駆動手段をｔだけ停止させるようにしている。
【００２８】
これにより、ユーザに用紙セットが完了したことを知らせることができる。またレジスト精度が阻止部材１を解除することにより決まる機構では、阻止部材１での用紙阻止時間を長くとると、紙の弛みが若干発生し、解除したときのレジスト精度がばらついたり、用紙Ｐを阻止するため、大きな保持力が必要となり、阻止部材１の解除部（例えばここではソレノイド７）のコストやスペースを大きくとってしまうという問題も解決される。
【００２９】
また、上記駆動手段を停止させた後、コピー動作に入るまで、通常コピー可の場合は青、コピー中もしくは機械のトラブル等のときは赤で表示するダイオードを、青赤と繰り返し点滅させることにより、オートスタート待機状態であることをユーザに知らせる。
【００３０】
このような前記実施の形態にあっては、搬送される用紙の先端に当接して用紙の進行を阻止する阻止部材１と、阻止部材１の上流側と下流側のそれぞれに配置され同一の駆動手段を有するローラ対（２ａ，２ｂ，３ａ，３ｂ）と、用紙をセットする手差し台５と、用紙セット検知手段（４）を有し、１枚ずつ用紙をセットし阻止部材１を解除することにより用紙と原稿の先端を一致させて画像転写部に送り込むように構成した手差し給紙装置を備えた画像形成装置において、置数を入力しコピー動作をスタートさせると、置数終了まで自動で手差し台５上の用紙がスタートする制御が行われるため、予め置数を設定し、１枚目のスタート時のみプリントキーを押すと、２枚目以降は設定終了枚数まで自動でコピーをスタートさせるため、ユーザが２枚目以降のプリントキーを押す必要がなく、操作性とコピー生産性が向上する。また用紙セット検知手段（４）で１枚目の用紙サイズを検知するので、光学系も不必要な画像を形成しなくてよくなり、トナー消費量やクリーニング部への負担を低減させることができる。
【００３１】
また、前記実施の形態にあっては、前記画像形成装置において、２枚目以降の用紙セット時、ある所定時間で駆動手段（３ａ，３ｂ）を停止させた後、再給紙する制御が行われるため、置数設定時の２枚目以降の用紙セットの検知後、ある一定量（用紙がローラにくわえ込まれるまで）用紙を送った後、駆動手段（３ａ，３ｂ）の駆動を停止させることにより、ユーザに用紙を離すタイミングを理解させることができる。
【００３２】
また、前記実施の形態にあっては、駆動手段（３ａ，３ｂ）を停止させているとき、自動スタートモードであることを操作部に表示する制御が行われるため、置数設定時の２枚目以降の用紙を用紙セット検知手段（４）が検知し、ある一定量（用紙がローラにくわえ込まれるまで）用紙を送り、駆動を停止させたと同時に操作部上のダイオード（通常、コピー可の場合は青で、コピー中は赤）を利用して、再給紙スタートまで青、赤の点滅を繰り返すので、機械のトラブルではなく、オートスタートであることをユーザに知らせることができる。
【００３３】
【発明の効果】
請求項１記載の発明によれば、置数設定時の２枚目以降の用紙セットの検知後、ある一定量（用紙がローラにくわえ込まれるまで）用紙を送った後、駆動手段の駆動を停止させることにより、ユーザに用紙を離すタイミングを理解させることができる。
【００３５】
請求項２記載の発明によれば、置数設定時の２枚目以降の用紙を用紙セット検知手段が検知し、ある一定量（用紙がローラにくわえ込まれるまで）用紙を送り、駆動を停止させたと同時に操作部上のダイオード（通常、コピー可の場合は青で、コピー中は赤）を利用して、再給紙スタートまで青、赤の点滅を繰り返すので、機械のトラブルではなく、オートスタートであることをユーザに知らせることができる。
【図面の簡単な説明】
【図１】本発明の実施の形態に係る手差し給紙装置の構成図である。
【図２】手差し給紙制御のゼネラルフローチャートである。
【図３】オートスタート判断時のフローチャートである。
【図４】コピースタート前処理のフローチャートである。
【図５】用紙有無検知センサと駆動手段のオンタイミングの第１の例を示すタイミングチャートである。
【図６】用紙有無検知センサと駆動手段のオンタイミングの第２の例を示すタイミングチャートである。
【符号の説明】
１  阻止部材
２ａ，２ｂ  レジストローラ
３ａ，３ｂ  搬送ローラ
４  用紙有無検知センサ
５  手差し台
【図１】
0003608684.tif 000002
【図２】
0003608684.tif 000003
【図３】
0003608684.tif 000004
【図４】
0003608684.tif 000005
【図５】
0003608684.tif 000006
【図６】
0003608684.tif 000007